(57)【特許請求の範囲】
【請求項１】
ディーゼルエンジンと、
前記ディーゼルエンジンから排出されるＮＯxを浄化するためのＮＯx触媒装置と、
前記ＮＯx触媒装置に供給されてＮＯxの還元を行う液体還元剤を貯留する還元剤タンクと、
前記ディーゼルエンジンを収容するエンジン室と、
前記エンジン室よりも前側に、該エンジン室と隔壁を挟んで隣接して形成され、前記還元剤タンクを収容する還元剤タンク室と、
開閉可能にして前記エンジン室及び前記還元剤タンク室の双方を共に覆うよう設けられ、閉状態で前記隔壁の上縁と当接する蓋部材と、
前記還元剤タンク室の前側の室壁に外気を導入可能に設けられた開口孔と、
前記開口孔を開閉可能に覆う開口孔閉鎖部材と、
前記隔壁に設けられた連通孔と、
前記連通孔を開閉可能に覆う連通孔閉鎖部材と
を備えたことを特徴とする転圧機械。
【請求項２】
前記転圧機械の作動中、前記連通孔が前記連通孔閉鎖部材で閉鎖されているときには前記開口孔は前記開口孔閉鎖部材で閉鎖されることなく開放され、前記開口孔が前記開口孔閉鎖部材で閉鎖されているときには前記連通孔は前記連通孔閉鎖部材で閉鎖されることなく開放されてなることを特徴とする、請求項１記載の転圧機械。
【請求項３】
前記開口孔閉鎖部材及び前記連通孔閉鎖部材は着脱可能な一の共通閉鎖部材を共用するものであり、
前記転圧機械の作動中、前記開口孔及び前記連通孔のいずれか一方のみが前記共通閉鎖部材を用いて選択的に閉鎖されてなることを特徴とする、請求項２記載の転圧機械。
【請求項４】
前記還元剤タンク室の側壁には、前記開口孔及び前記連通孔とは別に排気孔が設けられていることを特徴とする、請求項１乃至３のいずれか１項に記載の転圧機械。
【請求項５】
前記転圧機械は、前部に路面を転圧する前部転圧ローラを有し、
前記エンジン室は前記転圧機械の前記前部転圧ローラの後方に位置して設けられ、前記還元剤タンク室は前記前部転圧ローラの上方に位置して設けられていることを特徴とする、請求項１乃至４のいずれか１項に記載の転圧機械。
【発明の詳細な説明】
【技術分野】
【０００１】
本発明は、路面工事に使用される転圧機械に係り、詳しくは、転圧機械に搭載されたディーゼルエンジンから排出されるＮＯxを浄化するためのＮＯx触媒装置に供給される液体還元剤を貯留する還元剤タンクの配置構造に関する。
【背景技術】
【０００２】
近年、ディーゼルエンジンから排出されるＮＯxを浄化すべく、種々のＮＯx浄化装置が使用されており、例えばＮＯx触媒装置（ＳＣＲ触媒等）の排気上流側に尿素水等の液体還元剤を供給することでＮＯx触媒装置にてＮＯxを還元するＮＯx浄化技術が開発されている。
建設機械においてもディーゼルエンジンが広く使用されていることから、上記液体還元剤を供給する構成のＮＯx触媒装置が広く採用されつつあり、このような建設機械では、車体上に尿素水等の液体還元剤を貯留するための液体還元剤タンクが設けられる。
【０００３】
ところで、建設機械は屋外で使用されるため、冬季等、気温が低い状況下では、上記液体還元剤タンク内の尿素水等の液体還元剤が凍結して使用できなくなるという問題がある。
そこで、液体還元剤の凍結を防止できるように、或いは液体還元剤が凍結しても簡単に解凍可能なように、例えば油圧ショベルにおいて液体還元剤タンクをディーゼルエンジンに接近させて配設する構成が開示されている（特許文献１参照）。
【先行技術文献】
【特許文献】
【０００４】
【特許文献１】特開２００３−２０９３６号公報
【発明の概要】
【発明が解決しようとする課題】
【０００５】
ディーゼルエンジンは、建設機械のうち路面工事に使用される転圧機械にも搭載されており、この転圧機械においても液体還元剤タンクをディーゼルエンジンの近傍に配置することが望ましい。
しかしながら、例えば振動ローラ車両のような転圧機械は、特許文献１に示すような油圧ショベル等の大型の建設機械に比べて小型であり、液体還元剤タンクをエンジンルーム内で単純にディーゼルエンジンの近傍に配設すると、ディーゼルエンジンに接近し過ぎ、却って過熱され易いという問題がある。
【０００６】
例えば液体還元剤が尿素水である場合、尿素水は所謂ポットライフ（使用可能期間）を確保できる温度が約４０℃であるのに対し、転圧機械のエンジンルーム内の温度は約５０〜７０℃と高く、ディーゼルエンジンの近傍に設けた液体還元剤タンク内の尿素水の温度が当該ポットライフを確保できる温度である約４０℃の温度を超えてしまい、液体還元剤の還元剤としての機能が大きく損なわれるという問題がある。
本発明はこのような問題点を解決するためになされたもので、その目的とするところは、ＮＯx触媒装置にてＮＯxを還元する液体還元剤を貯留するための液体還元剤タンクを液体還元剤の凍結や過熱なく好適に配設した転圧機械を提供することにある。
【課題を解決するための手段】
【０００７】
上記目的を達成するため、請求項１の転圧機械は、ディーゼルエンジンと、前記ディーゼルエンジンから排出されるＮＯxを浄化するためのＮＯx触媒装置と、前記ＮＯx触媒装置に供給されてＮＯxの還元を行う液体還元剤を貯留する還元剤タンクと、前記ディーゼルエンジンを収容するエンジン室と、前記エンジン室よりも前側に、該エンジン室と隔壁を挟んで隣接して形成され、前記還元剤タンクを収容する還元剤タンク室と、開閉可能にして前記エンジン室及び前記還元剤タンク室の双方を共に覆うよう設けられ、閉状態で前記隔壁の上縁と当接する蓋部材と、前記還元剤タンク室の前側の室壁に外気を導入可能に設けられた開口孔と、前記開口孔を開閉可能に覆う開口孔閉鎖部材と、前記隔壁に設けられた連通孔と、前記連通孔を開閉可能に覆う連通孔閉鎖部材とを備えたことを特徴とする。
【０００８】
請求項２の転圧機械では、請求項１において、前記転圧機械の作動中、前記連通孔が前記連通孔閉鎖部材で閉鎖されているときには前記開口孔は前記開口孔閉鎖部材で閉鎖されることなく開放され、前記開口孔が前記開口孔閉鎖部材で閉鎖されているときには前記連通孔は前記連通孔閉鎖部材で閉鎖されることなく開放されてなることを特徴とする。
【０００９】
請求項３の転圧機械では、請求項２において、前記開口孔閉鎖部材及び前記連通孔閉鎖部材は着脱可能な一の共通閉鎖部材を共用するものであり、前記転圧機械の作動中、前記開口孔及び前記連通孔のいずれか一方のみが前記共通閉鎖部材を用いて選択的に閉鎖されてなることを特徴とする。
請求項４の転圧機械では、請求項１乃至３のいずれかにおいて、前記還元剤タンク室の側壁には、前記開口孔及び前記連通孔とは別に排気孔が設けられていることを特徴とする。
請求項５の転圧機械では、請求項１乃至４のいずれかにおいて、前記転圧機械は、前部に路面を転圧する前部転圧ローラを有し、前記エンジン室は前記転圧機械の前記前部転圧ローラの後方に位置して設けられ、前記還元剤タンク室は前記前部転圧ローラの上方に位置して設けられていることを特徴とする。
【発明の効果】
【００１０】
請求項１の転圧機械によれば、転圧機械のエンジン室よりも前側に該エンジン室と隔壁を挟んで隣接して還元剤タンク室を設けるとともにエンジン室及び還元剤タンク室の双方を共に覆う開閉可能な蓋部材を閉状態で隔壁の上縁と当接するように設け、還元剤タンク室内に、ディーゼルエンジンから排出されるＮＯxをＮＯx触媒装置にて還元除去する液体還元剤を貯留するための還元剤タンクを収容するようにしている。
従って、還元剤タンクは、隔壁の上縁と蓋部材とが当接することによってディーゼルエンジンから隔絶されており、ディーゼルエンジンの発生する熱を直接受けないようにでき、還元剤タンク内の液体還元剤がディーゼルエンジンの発生する熱で過熱してしまわないようにできる。これにより、液体還元剤の還元剤としての機能を確保することができる。
【００１１】
しかも、転圧機械の還元剤タンク室の前側の室壁に外気を導入可能に開口孔を設けるとともに該開口孔を開閉可能に覆う開口孔閉鎖部材を設け、さらに隔壁に連通孔を設けるとともに該連通孔を開閉可能に覆う連通孔閉鎖部材を設けるようにしている。
従って、これら開口孔や連通孔を開閉することで、還元剤タンク室内に開口孔を介して外気を取り入れたり、連通孔を介してエンジン室内の暖気を取り入れたりすることができ、還元剤タンク内の液体還元剤の温度を適当な温度に調整することが可能である。
【００１２】
請求項２の転圧機械によれば、転圧機械の作動中、連通孔が連通孔閉鎖部材で閉鎖されているときには開口孔は前記開口孔閉鎖部材で閉鎖されることなく開放され、開口孔が開口孔閉鎖部材で閉鎖されているときには連通孔は連通孔閉鎖部材で閉鎖されることなく開放されてなる。
従って、連通孔が閉鎖されているときに開口孔が開放されることで、還元剤タンク室内に外気を取り入れる一方、還元剤タンク室内へのエンジン室内からの暖気の流入を遮断することができ、開口孔が閉鎖されているときに連通孔が開放されることで、還元剤タンク室内への外気の流入を遮断する一方、還元剤タンク室内にエンジン室内の暖気を取り入れることができる。
【００１３】
これにより、外気温が高いとき（夏季等）には、開口孔から還元剤タンク室内に外気を導入して還元剤タンク内の液体還元剤を冷却するようにでき、液体還元剤には所謂ポットライフ（使用可能期間）を確保できる温度が存在（尿素水で約４０℃）しているところ、外気温が高いとき（夏季等）であっても、液体還元剤の温度が当該ポットライフを確保できる温度を極力超えないようにでき、液体還元剤の還元剤としての機能を良好に確保することができる。
また、外気温が低いとき（冬季等）には、ディーゼルエンジンが発生する熱によるエンジン室内の暖気を還元剤タンク室内に導入して還元剤タンク内の液体還元剤の温度低下による凍結を防止でき、或いは、例えばディーゼルエンジンの暖機運転時において還元剤タンク内の液体還元剤が凍結している場合には、エンジン室内の暖気で還元剤タンク内の液体還元剤を速やかに解凍することができ、外気温が低いとき（冬季等）であっても、やはり液体還元剤の還元剤としての機能を良好に確保することができる。
【００１４】
請求項３の転圧機械によれば、転圧機械の作動中、開口孔及び連通孔のいずれか一方のみが共通閉鎖部材を用いて選択的に閉鎖されてなるので、開口孔閉鎖部材と連通孔閉鎖部材とを共用化して製造コストを低減できるとともに作業効率を向上させつつ、液体還元剤の還元剤としての機能を良好に確保することができる。
請求項４の転圧機械によれば、還元剤タンク室の側壁には排気孔が設けられているので、外気温が高いとき（夏季等）には、還元剤タンク室内に開口孔から排気孔に流れる外気の流れを作り、還元剤タンク内の液体還元剤を良好に冷却でき、或いは、外気温が低いとき（冬季等）には、還元剤タンク室内に連通孔から排気孔に流れるエンジン室内の暖気の流れを作り、還元剤タンク内の液体還元剤の温度低下による凍結を良好に防止することができる。
【００１５】
請求項５の転圧機械によれば、還元剤タンク室は前部転圧ローラの上方に位置して設けられているので、還元剤タンク室は、少なくとも前部転圧ローラの直径分だけ地面から離間して高い位置にあることになり、還元剤タンク内の液体還元剤が地面の反射熱によって熱せられないようにでき、外気温が高いとき（夏季等）であっても、液体還元剤の温度が地面の反射熱で上昇しないようにできる。
また、還元剤タンク室が少なくとも前部転圧ローラの直径分だけ地面から離間して高い位置にあると、転圧機械の前端部分に位置する還元剤タンク室は、高さ方向の寸法が小さく容積が非常に小さくデッドスペースになり易いのであるが、かかるデッドスペースを有効に活用することができることにもなる。
【図面の簡単な説明】
【００１６】
【図１】本発明に係る振動ローラ車両の側面図である。
【図２】本発明に係る振動ローラ車両を前方より見た正面図である。
【図３】図１のＡ−Ａ線に沿う振動ローラ車両の前部車体の横断面図である。
【図４】図３のＢ−Ｂ線に沿う振動ローラ車両の前部車体の縦断面図である。
【図５】開口孔を還元剤タンク室側から視た拡大図（ａ）及び（ａ）のＣ−Ｃ線に沿う前壁の断面図（ｂ）である。
【図６】閉鎖部材の正面図（ａ）及び上面図（ｂ）である。
【図７】閉鎖部材で開口孔を覆った状態の正面図（ａ）及び（ａ）のＤ−Ｄ線に沿う前壁の断面図（ｂ）である。
【図８】連通孔を還元剤タンク室側から視た拡大図（ａ）及び（ａ）のＥ−Ｅ線に沿う隔壁の断面図（ｂ）である。
【発明を実施するための形態】
【００１７】
以下、本発明に係る転圧機械の一実施形態について図面に基づき説明する。
本発明に係る転圧機械は、例えば舗装作業を行う振動ローラ車両であり、以下振動ローラ車両について説明する。
図１は、本発明に係る振動ローラ車両の全体を示す側面図であり、図２は振動ローラ車両を前方より見た正面図である。また、図３は図１のＡ−Ａ線に沿う横断面図であり、図４は図３のＢ−Ｂ線に沿う縦断面図である。
【００１８】
振動ローラ車両は、大きくは前部転圧ローラ１を備えた前部車体２と後部転圧ローラ３を備えた後部車体４とから構成されている。これら前部車体２と後部車体４とはセンタピン５を介して水平方向に屈曲可能なアーティキュレート式に連結されており、振動ローラ車両は、前部車体２と後部車体４とを相互に屈曲することで車両の旋回を行うことが可能に構成されている。
前部転圧ローラ１はほぼ車幅と対応する長さを有する金属ドラムから構成され、前部車体２から下方に延設された左右一対の支持アーム６により回転可能に支持されている。一方、後部転圧ローラ３は２本一対のゴムタイヤ３ａ、３ａの組が左右一対設けられて計４本のゴムタイヤ３ａから構成され、後部車体４に設けられたアクスル７により回転可能に支持されている。
【００１９】
図３、４に示すように、前部車体２は、車体フレームが金属板からなる後壁３０、一対の側壁３１、３１、前壁３２及び底壁３３で囲われて外殻が構成され、上部に金属板からなるフード（蓋部材）３４が開閉可能に載置されて構成されている。また、後壁３０と前壁３２との間には、前部車体２の前方寄りに位置して隔壁３６が設けられている。これより、後壁３０、一対の側壁３１、３１及び隔壁３６で囲われた空間がエンジンルーム（エンジン室）２ａとして機能し、一方、隔壁３６、一対の側壁３１、３１及び前壁３２で囲われた空間が還元剤タンク室２ｂとして機能する。詳しくは、エンジンルーム２ａの前方には前部転圧ローラ１が位置しており、ヘッドライト３９、３９が配設される前部車体２の前端部分は作業者の前方視認性を高めるためフード３４の先端部分が斜め下方向に傾斜しており、故に当該前部車体２の前端部分に位置する還元剤タンク室２ｂは、少なくとも前部転圧ローラ１の直径分だけ地面から離間し、高さ方向の寸法がかなり小さく狭くなっている。
【００２０】
エンジンルーム２ａには、パワーユニットとしてディーゼルエンジン（以下、単にエンジンという）２０や油圧ポンプ（図示せず）等の機器が搭載され、エンジン２０の駆動力はアクスル７を介して後部転圧ローラ３に伝達される。また、図示しないが、エンジン２０の駆動により油圧ポンプから吐出される作動油は、例えば前部転圧ローラ１内に設けられた振動用モータに供給され、作動油の供給により振動用モータは路面の転圧時に前部転圧ローラ１を加振する。
後部車体４上の前側位置にはステアリング８を備えた操作台９が設置され、操作台９の後側には座席１０が設置されている。座席１０に着座した作業者はステアリング８及び足下のアクセルペダルやブレーキペダルの操作により振動ローラ車両を走行させ、舗装作業時には前部転圧ローラ１及び後部転圧ローラ３により路面の転圧を行なう。
【００２１】
後部車体４を構成する車体フレーム１２は、座席１０の直下及びその後側においてボックス状の貯水タンク収容部１３を形成しており、貯水タンク収容部１３内には貯水タンク１４が設置されている。貯水タンク１４は、前部転圧ローラ１及び後部転圧ローラ３の近傍に配設されたローラ散水ノズル１５に配管を介して接続されている。具体的には、ローラ散水ノズル１５は、後述するスクレーパ装置２６、２８にそれぞれ取り付けられている。これにより、舗装作業時には、前部転圧ローラ１及び後部転圧ローラ３へ砂利やアスファルト等の舗装材が付着しないよう、貯水タンク１４に貯留された水をローラ散水ノズル１５から前部転圧ローラ１及び後部転圧ローラ３や路面に散水可能である。
【００２２】
前部車体２には、前部転圧ローラ１に向けて延びるとともに前部転圧ローラ１の回転軸に沿う方向に延びてスクレーパ装置２６、２７が設けられており、これにより、前部転圧ローラ１に付着した砂利やアスファルト等の舗装材を掻き落とすことが可能である。また、後部車体４には、後部転圧ローラ３に向けて延びるとともに後部転圧ローラ３の回転軸に沿う方向に延びてスクレーパ装置２８が設けられており、これにより、上記同様、後部転圧ローラ３に付着した砂利やアスファルト等の舗装材を掻き落とすことが可能である。
ところで、図３、４に示すように、エンジン２０の排気通路には、エンジン２０から排出されるＮＯxを浄化すべく、ＮＯx触媒装置２２が介装されている。ＮＯx触媒装置２２は例えばＳＣＲ触媒（Selective Catalytic Reduction触媒）等の選択還元型ＮＯx触媒装置からなり、ＮＯx触媒装置２２の排気上流側に尿素水（液体還元剤）を供給することでＮＯx触媒装置２２においてエンジン２０から排出されるＮＯxを選択的に還元することが可能である。
【００２３】
そして、前部車体２には、ＮＯx触媒装置２２に尿素水を適宜供給可能なよう、尿素水を貯留しておく還元剤タンク２４が搭載されている。詳しくは、還元剤タンク２４は、上記還元剤タンク室２ｂ内にほぼ車幅方向中央に位置して設けられている。即ち、還元剤タンク２４は、隔壁３６を挟んでエンジンルーム２ａより前方に位置する還元剤タンク室２ｂ内に設けられている。尿素水はエンジン２０の燃料（軽油）に対し５重量％程度使用することから、給油と同時に尿素水も補給するのであれば、燃料タンク（図示せず）が例えば５０リットルである場合には還元剤タンク２４は約２．５リットルの容量である。なお、還元剤タンク２４とＮＯx触媒装置２２とは尿素水供給管路２３によって接続されている。
【００２４】
図４に示すように、隔壁３６の上縁とフード３４の下面とは当接しており、これによりエンジンルーム２ａと還元剤タンク室２ｂとで空間が完全に分離されている。より詳しくは、フード３４には、下面に位置し、吸音、断熱等を目的として柔軟なラバー材等からなるインシュレータ３５が貼付されており、これにより、隔壁３６の上縁は当該インシュレータ３５と密接し、隔壁３６の上縁とフード３４の下面との当接部分においてエンジンルーム２ａと還元剤タンク室２ｂとはほぼ気密に分離されている。
図２、３に示すように、前壁３２には、前部車体２の幅方向で左右対称に位置して一対の開口孔３２ａ、３２ａが設けられている。これら開口孔３２ａ、３２ａの還元剤タンク室２ｂ側には開口孔３２ａ、３２ａを覆うようにして閉鎖部材（開口孔閉鎖部材）４０が着脱自在にそれぞれ配設されており、閉鎖部材４０によって開口孔３２ａ、３２ａを開閉可能である。
【００２５】
図５には、開口孔３２ａを還元剤タンク室２ｂ側から視た拡大図（ａ）及び（ａ）のＣ−Ｃ線に沿う前壁３２の断面図（ｂ）が示され、図６には、閉鎖部材４０の正面図（ａ）及び上面図（ｂ）が示され、図７には、閉鎖部材４０で開口孔３２ａを覆った状態の正面図（ａ）及び（ａ）のＤ−Ｄ線に沿う前壁３２の断面図（ｂ）が示されている。
図２、５に示すように、開口孔３２ａは、例えば縦方向に延びる長尺の複数（ここでは４本）のスリットにより構成されている。一方、図６に示すように、閉鎖部材４０は、端部に立ちフランジ４１の形成された板状の金属部材であって、開口孔３２ａを構成する複数のスリットに対応して、上記同様の複数（４本）のスリットからなる開口孔４０ａが形成されて構成されている。なお、開口孔３２ａ及び開口孔４０ａの各スリット間の部材幅はスリット幅と同一またはスリット幅よりも広く設定されている。そして、前壁３２には開口孔３２ａを上下で挟むようにして閉鎖部材４０を前壁３２の面に沿い車幅方向にスライド可能且つ保持可能に上下一対のガイド部材３２ｂ、３２ｂが設けられている。これにより、閉鎖部材４０を図７に実線及び二点鎖線で示すようにガイド部材３２ｂ、３２ｂに沿って矢印方向にスライドさせ、開口孔３２ａ及び開口孔４０ａの各スリット同士の相対位置を変えることで、開口孔３２ａの開度を適宜調節可能であり、開口孔３２ａを開閉可能である。
【００２６】
また、図３に示すように、隔壁３６には、エンジン２０の冷却ファン２１の送風を受けることが可能なように、一方の側壁３１寄りに位置して連通孔３６ａが設けられている。そして、連通孔３６ａの還元剤タンク室２ｂ側には連通孔３６ａを覆うようにして閉鎖部材（連通孔閉鎖部材）４４が着脱自在に配設されており、閉鎖部材４４によって連通孔３６ａを開閉可能である。
図８には、連通孔３６ａを還元剤タンク室２ｂ側から視た拡大図（ａ）及び（ａ）のＥ−Ｅ線に沿う隔壁３６の断面図（ｂ）が示されており、同図に示すように、連通孔３６ａは、上記開口孔３２ａと全く同様に、例えば縦方向に延びる長尺の複数（ここでは４本）のスリットにより構成され、隔壁３６には連通孔３６ａを上下で挟むようにして閉鎖部材４４を隔壁３６の面に沿い車幅方向にスライド可能且つ保持可能に上下一対のガイド部材３６ｂ、３６ｂが設けられている。閉鎖部材４４は、上記図６、７に併せて示すように、閉鎖部材４０と構造は全く同一であって開口孔４４ａを有している。これにより、閉鎖部材４０と同様、閉鎖部材４４を図７に実線及び二点鎖線で示すようにガイド部材３６ｂに沿って矢印方向にスライドさせ、連通孔３６ａ及び開口孔４４ａの各スリット同士の相対位置を変えることで、連通孔３６ａの開度を適宜調節可能であり、連通孔３６ａを開閉可能である。
【００２７】
なお、閉鎖部材４０と閉鎖部材４４とは構造が同一であるため、閉鎖部材４０を連通孔３６ａの開閉にも使用することができ、逆に閉鎖部材４４を開口孔３２ａの開閉に使用することもでき、閉鎖部材４０と閉鎖部材４４とを共通閉鎖部材として共用可能である。
また、図３に示すように、連通孔３６ａから離間した側の側壁３１の還元剤タンク室２ｂの部分には、上記開口孔３２ａや連通孔３６ａとは別に排気孔３１ａが設けられている。
以下、このように還元剤タンク室２ｂに配設された還元剤タンク２４並びに開口孔３２ａ及び連通孔３６ａにより生じる本発明に係る作用効果について説明する。
【００２８】
上述したように、還元剤タンク室２ｂとエンジンルーム２ａとは隔壁３６の上縁と蓋部材３４とが当接することによって空間が完全に分離されており、還元剤タンク２４は、エンジンルーム２ａよりも前方に位置する還元剤タンク室２ｂ内にエンジン２０から隔絶されて配設されている。従って、還元剤タンク２４は、エンジン２０の発生する熱を直接受けないようにできる。これにより、還元剤タンク２４内の尿素水がエンジン２０の発生する熱で過熱してしまわないようにできる。
また、上述したように、還元剤タンク室２ｂは、少なくとも前部転圧ローラ１の直径分だけ地面から離間して高い位置にあることから、還元剤タンク２４内の尿素水が地面の反射熱によって熱せられることもない。
【００２９】
また、前部車体２の前端部分は、このように少なくとも前部転圧ローラ１の直径分だけ地面から離間し、且つ、作業者の前方視認性を高めるためフード３４の先端部分は斜め下方向に傾斜していることから、前部車体２の前端部分に位置する還元剤タンク室２ｂは、高さ方向の寸法が小さく容積が非常に小さくデッドスペースになり易いところ、当該前部車体２の前端部分を還元剤タンク室２ｂとし、この還元剤タンク室２ｂに還元剤タンク２４を収容することにより、このようなデッドスペースを有効に活用することができることにもなる。
そして、前壁３２には、一対の開口孔３２ａ、３２ａが閉鎖部材４０により開閉可能に設けられており、隔壁３６には、連通孔３６ａが閉鎖部材４４により開閉可能に設けられている。従って、これら開口孔３２ａ、３２ａや連通孔３６ａを開閉することで、還元剤タンク室２ｂ内に開口孔３２ａ、３２ａを介して外気を取り入れたり、連通孔３６ａを介してエンジンルーム２ａ内の暖気を取り入れたりすることができ、還元剤タンク２４内の尿素水の温度を適当な温度に調整することが可能である。以下、場合を分けて具体的に説明する。
【００３０】
［外気温が高いとき（夏季等）］
外気温が高いとき（夏季等）には、還元剤タンク２４がエンジン２０の発生する熱を受けると尿素水が過熱してしまうことから、連通孔３６ａについては閉鎖部材４４で閉鎖し、開口孔３２ａ、３２ａについては、閉鎖部材４０を開位置までスライドさせ、或いは閉鎖部材４０を完全に取り外すようにして開放する。この場合、上述したように、閉鎖部材４０と閉鎖部材４４とは共通閉鎖部材として共用可能であることから、取り外した一の閉鎖部材４０を閉鎖部材４４として共用して連通孔３６ａを閉鎖するようにしてもよい。
このように、連通孔３６ａを閉鎖する一方で開口孔３２ａ、３２ａを開放すると、エンジンルーム２ａと還元剤タンク室２ｂとを隔壁３６で完全に遮断し、エンジンルーム２ａ内の暖気が還元剤タンク室２ｂ内に流入しないようにできるとともに、振動ローラ車両の走行時、特に振動ローラ車両が前進するときにおいて、図３に実線矢印で示すように、開口孔３２ａ、３２ａから還元剤タンク室２ｂ内に外気を導入し排気孔３１ａから排出するようにして還元剤タンク室２ｂ内に良好に外気の流れを作るようにでき、還元剤タンク２４内の尿素水を冷却して過熱させないようにできる。
【００３１】
これにより、尿素水は所謂ポットライフ（使用可能期間）を確保できる温度が約４０℃であるところ、外気温が高いとき（夏季等）であっても、尿素水の温度が当該ポットライフを確保できる約４０℃を極力超えないようにでき、尿素水のＮＯx還元剤としての機能を良好に確保することができる。
この際、閉鎖部材４０と閉鎖部材４４とを共通閉鎖部材として共用するようにすれば、製造コストを低減できるとともに作業効率を向上させることもできる。
【００３２】
［外気温が低いとき（冬季等）］
外気温が低いとき（冬季等）には、還元剤タンク２４内の尿素水は温度が低下して凍結し易いことから、開口孔３２ａ、３２ａについては閉鎖部材４０で閉鎖し、連通孔３６ａについては閉鎖部材４４を開位置にスライドさせ、或いは閉鎖部材４４については完全に取り外すようにして開放する。この場合、上述したように、閉鎖部材４０と閉鎖部材４４とは共通閉鎖部材として共用可能であることから、取り外した閉鎖部材４４を閉鎖部材４０として共用して開口孔３２ａを閉鎖するようにしてもよい。
このように、開口孔３２ａ、３２ａを閉鎖する一方で連通孔３６ａを開放すると、低温の外気を還元剤タンク室２ｂ内に取り入れないようにできるとともに、エンジンルーム２ａと還元剤タンク室２ｂとを連通孔３６ａを介して連通させ、図３に破線矢印で示すように、エンジン２０が発生する熱によるエンジンルーム２ａ内の暖気を還元剤タンク室２ｂ内に導入し排気孔３１ａから排出するようにして還元剤タンク室２ｂ内に良好に暖気の流れを作るようにでき、還元剤タンク２４内の尿素水の温度低下による凍結を防止できる。或いは、例えばエンジン２０の暖機運転時において、還元剤タンク２４内の尿素水が凍結している場合であっても、エンジンルーム２ａ内の暖気で還元剤タンク２４内の尿素水を速やかに解凍することができる。
【００３３】
ここでは特に、連通孔３６ａは、エンジン２０の冷却ファン２１の送風を受けることが可能なよう一方の側壁３１寄りに位置して設けられているので、エンジン２０の冷却ファン２１の送風によってエンジンルーム２ａ内を側壁３１に沿って流れる暖気を良好に還元剤タンク室２ｂ内に導入し、還元剤タンク２４内の尿素水を急速に昇温させることができる。
これにより、外気温が低いとき（冬季等）であっても、やはり尿素水のＮＯx還元剤としての機能を良好に確保することができる。
【００３４】
この際、閉鎖部材４０と閉鎖部材４４とを共通閉鎖部材として共用することで、やはり製造コストを低減できるとともに作業効率を向上させることもできる。
［外気温がやや高いとき或いはやや低いとき（春季、秋季等）］
外気温がやや高いとき或いはやや低いとき（春季、秋季等）には、開口孔３２ａ、３２ａ及び連通孔３６ａの開度をそれぞれ閉鎖部材４０と閉鎖部材４４とを適宜スライドさせて調節する。
これにより、外気温がやや高いとき或いはやや低いとき（春季、秋季等）においても、やはり尿素水のＮＯx還元剤としての機能を良好に確保することができる。
【００３５】
以上で実施形態の説明を終えるが、本発明の態様は上記実施形態に限定されるものではない。
例えば上記実施形態では、開口孔３２ａ、３２ａ及び連通孔３６ａを全く同様のスリットで構成し、同様のスリットからなる開口孔４０ａ及び開口孔４４ａを有した全く同様の構造の閉鎖部材４０及び閉鎖部材４４によって開口孔３２ａ、３２ａ及び連通孔３６ａの開度をそれぞれ調節し、開口孔３２ａ、３２ａ及び連通孔３６ａの開閉を行うようにしたが、開口孔３２ａ、３２ａ及び連通孔３６ａはスリットに限られるものではなく単なる孔であってもよいし、これら全てを同様にしなくてもよく、閉鎖部材４０及び閉鎖部材４４についても単なる閉鎖板やグロメットで構成してもよいし、全てを同様の構造にしなくてもよい。さらに、閉鎖部材４０及び閉鎖部材４４については開閉可能なルーバー等の開閉扉で構成してもよい。
【００３６】
また、上記実施形態では、前壁３２に一対の開口孔３２ａ、３２ａを設け、隔壁３６に一つの連通孔３６ａを設けるようにしたが、これらはそれぞれ単数であっても複数であってもよく、前壁３２に一つの開口孔３２ａを設ける一方、隔壁３６に連通孔３６ａを複数設けるようにしてもよい。
また、上記実施形態では、閉鎖部材４０及び閉鎖部材４４を還元剤タンク室２ｂ側に設けるようにしたが、閉鎖部材４０を前壁３２の外側に、閉鎖部材４４をエンジンルーム２ａ側に設けるようにしてもよい。
また、上記実施形態では、連通孔３６ａから離間した側の側壁３１の還元剤タンク室２ｂの部分に排気孔３１ａを設けるようにしたが、排気孔３１ａを複数設けるようにしてもよいし、例えば側壁３１とフード３４との間に隙間があるような場合には、特に排気孔３１ａを設けなくてもよく、かかる隙間を排気孔３１ａの代用としてもよい。
【符号の説明】
【００３７】
１  前部転圧ローラ
２  前部車体
２ａ  エンジンルーム（エンジン室）
２ｂ  還元剤タンク室
２０  ディーゼルエンジン
２２  ＮＯx触媒装置
２４  還元剤タンク
３１  側壁
３１ａ  排気孔
３２  前壁
３２ａ  開口孔
３４  フード（蓋部材）
３６  隔壁
３６ａ  連通孔
４０  閉鎖部材（開口孔閉鎖部材）
４０ａ  開口孔
４４  閉鎖部材（連通孔閉鎖部材）
４４ａ  開口孔
【図１】
0005997507.tif 000002
【図２】
0005997507.tif 000003
【図３】
0005997507.tif 000004
【図４】
0005997507.tif 000005
【図５】
0005997507.tif 000006
【図６】
0005997507.tif 000007
【図７】
0005997507.tif 000008
【図８】
0005997507.tif 000009